(57)【要約】【課題】  不正に接続された外部装置に対して、施解錠を許可しないセキュリティーの高い電気錠システムを低コストに提供する。【解決手段】  使用者が磁気カードや暗証番号などで第１のＩＤコードを入力すると、電気錠制御装置１２はその第１のＩＤコードが予め登録されたコードと一致するか否かを認証する。一致する場合には電気錠解錠命令である制御信号と電気錠制御装置１２固有の第２のＩＤコードを電気錠１３に送信する。電気錠１３は、電気錠制御装置１２から受信した第２のＩＤコードが予め登録されたコードと一致するか否かを認証し、一致する場合に電気錠１３を解錠する。また、送信スイッチ１２ｃがＯＮすると第２のＩＤコードを電気錠１３に送信し、電気錠１３では、解錠状態もしくは扉が開いた状態の場合にのみ受信した第２のＩＤコードを登録する。【選択図】図２
2006316565.tif 000002
【特許請求の範囲】
【請求項１】
入力された第１のＩＤコードが、予め登録されたコードと一致するか否かを認証し、一致する場合に制御信号を送信する電気錠制御装置と、前記電気錠制御装置から受信した前記制御信号に従って施解錠する電気錠と、を有する電気錠システムであって、
前記電気錠制御装置は、自装置固有の第２のＩＤコードを保持する第２のＩＤコード保持部と、前記制御信号とともに第２のＩＤコードを送信する制御部と、を備え、
前記電気錠は、第２のＩＤコードを登録する第２のＩＤコード登録部と、前記電気錠制御装置から受信した第２のＩＤコードが、第２のＩＤコード登録部に予め登録されたコードと一致するか否かを認証し、一致する場合に受信した前記制御信号に従って施解錠制御する制御部と、を備えた電気錠システム。
【請求項２】
前記電気錠制御装置は、前記電気錠に第２のＩＤコードを送信する送信スイッチを備え、
前記電気錠は、自装置が解錠状態もしくは扉が開いた状態であるか否かを検出するセンサ部を備え、
前記電気錠制御装置の前記送信スイッチがＯＮし、且つ、前記電気錠の前記センサ部が自装置の解錠状態もしくは扉の開いた状態であると検出した場合においてのみ、
前記第２のＩＤコード登録部に、前記電気錠制御装置から受信した第２のＩＤコードを登録することを特徴とする請求項１に記載の電気錠システム。
【発明の詳細な説明】
【技術分野】
【０００１】
本発明は、電気錠制御装置と電気錠とを備えた電気錠システムであって、不正解錠を防止できるものに関する。
【背景技術】
【０００２】
従来から、テナントビルや病院など各種施設の出入り口に防犯管理のために電気錠システムが用いられている。
【０００３】
ここで従来の電気錠システムについて、図１を参考にして説明する。図１は特許文献１で示されている従来の電気錠システムであり、電気錠制御装置であるテンキー付きカードリーダ３、及び電気錠２により電気錠システムを構成している。そして、カードリード部３ｂ及びテンキー部３ａから入力されたカードデータや暗証番号などのＩＤコードを、データ照合部３ｆで予め登録されたデータと照合し、登録された有効なＩＤコードであると認証した場合、制御部３ｄから電気錠２へ制御信号を送信し、電気錠２を施解錠制御する。
【特許文献１】特開２０００−３１４２５１
【発明の開示】
【発明が解決しようとする課題】
【０００４】
しかし従来の電気錠システムでは、不正な手段で生成された制御信号による施解錠を防止できなかった。即ち、悪意の第三者がテンキーユニットの外装を取り外し、内部の信号線に外部装置（電気錠制御装置）を接続して制御信号を送信することで、認証を経ないでも電気錠が施解錠されてしまう場合があった。例えば、制御部３ｄと電気錠ソレノイド接続端子３ｊとの間の接続線などに外部装置を接続して制御信号を送信すると、認証を経ないでもソレノイド２ａを駆動させて電気錠を解錠する事が可能であった。
【０００５】
このような場合、たとえ電気錠制御装置で精度の高い認証を行っていたとしても、認証後に扉に送信される制御信号自体は認証が行われるものではなかったために、不正に接続された外部装置によって、施解錠が行われてしまうという問題があった。
【０００６】
このような不正に接続された外部装置により、電気錠が施解錠されてしまう問題に対して、従来はテンキーユニットの外装をより強固なものとしたり、テンキーユニットに外装の取り外しを検知するセンサ部や警報機を設けたりすることで対策がなされていた。しかし、このような対策はコストが高く、同時に、防犯対策として充分なものでは無かった。
【０００７】
そこで、上述のような不正に接続された外部装置からの制御信号に対しても、施解錠を許可することの無い、防犯性の高い電気錠システムを提供することを本発明は目的とする。
【課題を解決するための手段】
【０００８】
そのため第１の発明の電気錠システムは、入力された第１のＩＤコードが、予め登録されたコードと一致するか否かを認証し、一致する場合に制御信号を送信する電気錠制御装置と、前記電気錠制御装置から受信した前記制御信号に従って施解錠する電気錠と、を有する電気錠システムであって、前記電気錠制御装置では、自装置固有の第２のＩＤコードを保持する第２のＩＤコード保持部と、前記制御信号とともに第２のＩＤコードを送信する制御部と、を備え、前記電気錠では、第２のＩＤコードを登録する第２のＩＤコード登録部と、前記電気錠制御装置から受信した第２のＩＤコードが、第２のＩＤコード登録部に予め登録されたコードと一致するか否かを認証し、一致する場合に受信した前記制御信号に従って施解錠制御する制御部と、を備える。
【０００９】
このように本発明では、正規の使用者によって入力されたＩＤコード（第１のＩＤコード）が正しいものであるか否かを電気錠制御装置で認証するだけではなく、正しい場合であっても、電気錠制御装置固有のＩＤコード（第２のＩＤコード）が電気錠に予め登録されているコードと一致するかを否かを認証する。そして、電気錠制御装置での使用者によって入力されたＩＤコード（第１のＩＤコード）の認証と、電気錠での電気錠制御装置固有のＩＤコード（第２のＩＤコード）の認証が正しく行われた場合にのみ電気錠の施解錠を行う。
【００１０】
そのため、たとえ悪意の第三者が不正な制御信号を電気錠に送信したとしても、その場合には、電気錠に予め登録された電気錠制御装置固有のＩＤコード（第２のＩＤコード）が送信されないため、その制御信号だけでは電気錠が解錠されることが無い。このように本発明を用いれば極めて防犯性に優れた電気錠システムを提供することができる。
【００１１】
また、第２の発明の電気錠システムは、前記電気錠制御装置では、前記電気錠に第２のＩＤコードを送信する送信スイッチを備え、前記電気錠では、自装置が解錠状態もしくは扉が開いた状態であるか否かを検出するセンサ部を備え、前記電気錠制御装置の前記送信スイッチがＯＮし、且つ、前記電気錠の前記センサ部が自装置の解錠状態もしくは扉の開いた状態であると検出した場合においてのみ、前記第２のＩＤコード登録部に、前記電気錠制御装置から受信した第２のＩＤコードを登録することを特徴とする。
【００１２】
このように本発明では、電気錠制御装置固有のＩＤコード（第２のＩＤコード）を電気錠に送信して電気錠に登録するための送信スイッチを設けている。例えば新しい電気錠制御装置を取り付ける場合などに、この送信スイッチをＯＮすることにより電気錠に新しい電気錠制御装置固有のＩＤコード（第２のＩＤコード）を登録する。この場合は、電気錠に登録されていた古い元のコードを削除し、受信した新しいＩＤコード（第２のＩＤコード）に自動的に書き換えるようにすると好適である。
【００１３】
さらに、上記電気錠制御装置の送信スイッチのＯＮにより受信した電気錠制御装置固有のＩＤコード（第２のＩＤコード）が電気錠に登録されるのは、電気錠が解錠状態もしくは扉が開いた状態を検出した場合のみとする。これにより、電気錠が施錠状態で且つ扉が閉じた状態では、正規に設置された電気錠制御装置とは異なる他の外部装置（電気錠制御装置）により、不正なＩＤコードが電気錠に登録されることを防ぐことができる。
【発明の効果】
【００１４】
以上のように本発明によれば、不正に接続された外部装置からの制御信号が電気錠に送信されても、予め登録された電気錠制御装置固有のＩＤコード（第２のＩＤコード）が送信されない限り電気錠が解錠されない。これにより、悪意の第三者などが外部装置を不正に接続して、その外部装置から制御信号を送信して扉を解錠することを防ぐことができる。さらに、電気錠制御装置固有のＩＤコード（第２のＩＤコード）を電気錠に登録するには、電気錠が解錠状態もしくは扉が開いた状態で正規の使用者が登録を行う必要があるため、施錠状態で不正に接続された外部装置からのＩＤコード（第２のＩＤコード）の登録を確実に防ぐことができる。これにより、極めて防犯性に優れた電気錠システムを提供することができる。
【発明を実施するための最良の形態】
【００１５】
ここで、本発明の第１の実施形態を以下に示す。図２は本実施形態の構成例のブロック図である。
【００１６】
本実施形態の電気錠システム１１は、室内側の壁面などに設けた電気錠制御装置１２と、扉に設けた電気錠１３とにより構成する。
【００１７】
電気錠制御装置１２では、第２のＩＤコード保持部であるＥＥＰＲＯＭ１２ｄに、電気錠制御装置１２固有のＩＤコード（第２のＩＤコード）を記憶している。また、このＥＥＰＲＯＭ１２ｄには、利用者の暗証番号や磁気カードなどから入力されるＩＤコード（第１のＩＤコード）も予め記憶している。また、制御部１２ａは、使用者が暗証番号や磁気カードにより入力するＩＤコード（第１のＩＤコード）と予めＥＥＰＲＯＭ１２ｄに登録された前述のコードとを照合し、一致するか否かを認証し、一致した場合にのみ解錠命令の制御信号を電気錠１３に送信する。この制御信号を送信する際には、前述の電気錠制御装置１２固有のＩＤコード（第２のＩＤコード）をＥＥＰＲＯＭ１２ｄから読み出し、制御信号と共に電気錠１３に送信する。また、送信スイッチ１２ｃは、電気錠制御装置１２自体を新たに取替えた際に電気錠制御装置１２固有のＩＤコード（第２のＩＤコード）を電気錠に新たに登録するために用いる。
【００１８】
以上のＥＥＰＲＯＭ１２ｄ、制御部１２ａ、送信スイッチ１２ｃにより電気錠制御装置１２を構成する。その他、本実施形態では利用者の暗証番号や磁気カードなどから入力されるＩＤコード（第１のＩＤコード）を変更するためのテンキー１２ｂを設けている。
【００１９】
電気錠１３では、第２のＩＤコード登録部であるＥＥＰＲＯＭ１３ｄに、電気錠制御装置１２から送信された固有のＩＤコード（第２のＩＤコード）を登録する。また、１３ｂはソレノイドであり、その駆動により電気錠１３を施解錠する。また、センサ部１３ｃは電気錠１３の施解錠状態や扉の開閉状態を検出する。また、制御部１３ａは、電気錠制御装置１２から制御信号とともにＩＤコード（第２のＩＤコード）を受信し、電気錠制御装置１２から受信したＩＤコード（第２のＩＤコード）が予めＥＥＰＲＯＭ１３ｄに登録された前述のコードと一致するか否かを認証し、一致する場合にソレノイド１３ｂを作動する。
【００２０】
以上のＥＥＰＲＯＭ１３ｄ、制御部１３ａ、ソレノイド１３ｂ、センサ部１３ｃにより電気錠１３を構成する。
【００２１】
なお、本実施形態では電気錠制御装置１２固有のＩＤコード（第２のＩＤコード）は、ＥＥＰＲＯＭ１２ｄに工場出荷時から予め設定されるものとする。また、使用者が磁気カード、暗証番号などで入力するＩＤコード（第１のＩＤコード）は、電気錠制御装置１２のＥＥＰＲＯＭ１２ｄに管理者が予め登録しておくものとする。
【００２２】
次に、電気錠制御装置１２による電気錠１３の制御方式の一例を示す。
まず、電気錠１３を解錠する場合の上記電気錠制御装置１２の制御部１２ａおよび上記電気錠１３の制御部１３ａの作動フローを図３に示す。
まず、図３（ａ）に電気錠制御装置１２の制御部１２ａでの作動フローを示す。
制御部１２ａは、まず、使用者が磁気カード、暗証番号などにより入力した第１のＩＤコードを検出する。次に、予めＥＥＰＲＯＭ１２ｄに登録された前述のコードを読み出す。そして、使用者が磁気カード、暗証番号などにより入力した第１のＩＤコードと、ＥＥＰＲＯＭ１２ｄに登録されたコードとが、一致するか否かを認証する。そして、両者が一致しない場合には処理を終了する。また、両者が一致する場合には電気錠制御装置１２固有の第２のＩＤコードをＥＥＰＲＯＭ１２ｄから読み出す。そして、解錠命令の制御信号とともに、電気錠制御装置１２固有の第２のＩＤコードを電気錠１３に送信する。
【００２３】
次に、図３（ｂ）に電気錠１３の制御部１３ａでの作動フローを示す。
制御部１３ａは、電気錠制御装置１２から受信した解錠命令の制御信号と第２のＩＤコードから、第２のＩＤコードを検出する。ここで、解錠命令の制御信号のみを受信した場合には以下の処理を行わず処理を終了する。また、受信した解錠命令の制御信号とともに第２のＩＤコードを検出した場合には、検出した第２のＩＤコードが予めＥＥＰＲＯＭ１３ｄに登録された前述のコードと一致するか否かを認証する。そして、両者が一致する場合のみ電気錠１３を解錠する。即ち、電気錠制御装置１２から受信した第２のＩＤコードが予めＥＥＰＲＯＭ１３ｄに登録されたコードと一致しない場合や、電気錠制御装置１２から第２のＩＤコードが送信されてこない場合は、電気錠１３を解錠しない。
【００２４】
以上のように電気錠制御装置１２では制御信号と共に電気錠制御装置１２固有の第２のＩＤコードを電気錠１３に送信し、電気錠１３では受信した第２のＩＤコードが予めＥＥＰＲＯＭ１３ｄに登録したコードと一致することを条件に、電気錠１３を解錠する。従って、悪意の第三者が不正な制御信号を何らかの手段で電気錠１３に送信したとしても、第２のＩＤコードが受信されないか、もし受信したとしてもその第２のＩＤコードが正当なものでは無いために、その制御信号だけでは電気錠１３が解錠されることが無くなり、極めて優れた防犯性を有した電気錠システム１１を実現できる。
【００２５】
次に、電気錠制御装置１２を取り替えた場合に、電気錠制御装置１２固有の第２のＩＤコードを新たに電気錠１３に登録するための、上記電気錠制御装置１２の制御部１２ａおよび上記電気錠１３の制御部１３ａの作動フローを図４に示す。
【００２６】
電気錠制御装置１２を取り替えた場合に、新しい電気錠制御装置１２の送信スイッチ１２ｃをＯＮすることで、新たな第２のＩＤコードを電気錠１３のＥＥＰＲＯＭ１３ｄに登録する。なお、この場合、電気錠１３が解錠状態であるか、もしくは扉が開いた状態でのみ登録することができる。
【００２７】
まず、図４（ａ）に電気錠制御装置１２の制御部１２ａでの作動フローを示す。
制御部１２ａは、送信スイッチ１２ｃのＯＮを検出すると、ＥＥＰＲＯＭ１２ｄから電気錠制御装置１２固有の第２のＩＤコードを読み出し、電気錠制御装置１２固有の第２のＩＤコードを電気錠１３に送信する。
【００２８】
次に、図４（ｂ）に電気錠１３の制御部１３ａでの作動フローを示す。
制御部１３ａは、電気錠制御装置１２からの第２のＩＤコードを受信すると、センサ部１３ｃで電気錠１３の施解錠状態と扉の開閉状態を検出する。そして、電気錠１３が解錠状態もしくは扉が開いた状態である場合でのみ、ＥＥＰＲＯＭ１３ｄに登録されていた古いコードを、新しい第２のＩＤコードに書き換える。また、電気錠１３が施錠状態で且つ扉が閉じた状態である場合には、電気錠制御装置１２から送信されてきた第２のＩＤコードの登録は行わない。
以上の処理は前述の通り、新たに電気錠制御装置１２を取り替えた場合に行う。
【００２９】
このように、電気錠１３が解錠状態もしくは扉が開いた状態で送信スイッチ１２ｃをＯＮされた場合のみ、電気錠制御装置１２から受信した第２のＩＤコードを電気錠１３に登録する。即ち、正規の利用者のみが登録処理をすることができる。
従って、悪意の第三者が施錠状態のときに外部装置から不正な記憶命令の制御信号を電気錠１３に送信したとしても、その場合には電気錠１３は施錠されており、電気錠１３の解錠状態もしくは扉の開いた状態が検知されないため、その外部装置から第２のＩＤコードを受信したとしてもその第２のＩＤコードを登録することがない。そのため、極めて優れた防犯性を有した電気錠システム１１を実現できる。
【００３０】
次に、初めて工場から出荷された電気錠制御装置１２や電気錠１３を取り付けて電気錠制御装置１２固有の第２のＩＤコードを電気錠１３に登録する場合、即ち初期設定時の上記電気錠制御装置１２の制御部１２ａおよび上記電気錠１３の制御部１３ａの作動フローを図５に示す。
【００３１】
初期設定時には、電気錠１３のＥＥＰＲＯＭ１３ｄには第２のＩＤコードが登録されていない空の状態であるため、電気錠制御装置１２からの制御信号と電気錠制御装置１２固有のＩＤコード（第２のＩＤコード）が送信されてきた場合に、その受信した第２のＩＤコードを電気錠１３のＥＥＰＲＯＭ１３ｄに自動的に登録する。
【００３２】
まず、図５（ａ）に電気錠制御装置１２の制御部１２ａでの作動フローを示す。
初期設定時に、制御部１２ａは制御信号を送信する際に、ＥＥＰＲＯＭ１２ｄに登録されている電気錠制御装置１２固有の第２のＩＤコードを読み出し、制御信号とともに電気錠１３に送信する。
【００３３】
次に、図５（ｂ）に電気錠１３の制御部１３ａでの作動フローを示す。
初期設定時に、制御部１３ａは電気錠制御装置１２から送信されてきた制御信号と第２のＩＤコードから第２のＩＤコードを検出する。制御信号のみが送信されてきた場合には処理を終了する。また、制御信号と共に第２のＩＤコードを検出した場合には、ＥＥＰＲＯＭ１３ｄからコードを読み出し、一致するか否かを認証し一致しない場合には処理を終了する。
【００３４】
そして、両者が一致した場合のみ電気錠制御装置１２から受信した制御信号と第２のＩＤコードとに基づいて電気錠１３の通常の処理である電気錠１３の解錠や、施錠の処理などを行う。
【００３５】
なお、工場から出荷された状態の電気錠１３には第２のＩＤコードが登録されておらず、ＥＥＰＲＯＭ１３ｄは空の状態である。そのため、初期設定時は電気錠制御装置１２の送信スイッチ１２ｃをＯＮしなくても、制御信号が送信されるときに自動的に第２のＩＤコードもともに送信し、電気錠１３では自動的にその第２のＩＤコードをＥＥＰＲＯＭ１３ｄに登録する。従って、優れた防犯性を有するとともに、初期設定を自動的に、且つ容易に行える優れた電気錠システムを実現できる。
【００３６】
なお、電気錠制御装置１２の制御部１２ａでの第１のＩＤコードの認証が失敗した場合には、処理を終了する前に、何らかの警告や暗証番号入力の制限などの処理を行っても良い。また、電気錠１３の制御部１３ａでの第２のＩＤコードの認証が失敗した場合にも、何らかの警告や暗証番号入力の制限、防犯通報などの処理を行っても良い。また、電気錠１３の施解錠状態や扉の開閉状態などを表示しても良い。このようにすると、使用者の利便性に貢献でき、さらに極めて高い防犯性を有した電気錠システムを実現できる。
【００３７】
その他、本発明での電気錠１３とは周知の電気錠やオートドアを意味するものであり、ソレノイド１３ｂの変わりに、小型モータや、オートドアの場合のオートドア駆動用のエンジンモータを用いて本発明を実施してもよい。
【図面の簡単な説明】
【００３８】
【図１】従来の電気錠システムのブロック図である。
【図２】実施形態に係る電気錠システムのブロック図である。
【図３】実施形態に係る電気錠システムの解錠の作動フローである。
【図４】実施形態に係る第２のＩＤコードの再登録の作動フローである。
【図５】実施形態に係る第２のＩＤコードの初期設定時の登録の作動フローである。
【符号の説明】
【００３９】
１１−電気錠システム    １２−電気錠制御装置    １３−電気錠    １２ａ−制御部    １３ａ−制御部    １２ｂ−テンキー    １３ｂ−ソレノイド    １２ｃ−送信スイッチ    １３ｃ−センサ部    １２ｄ、１３ｄ−ＥＥＰＲＯＭ
【図１】
2006316565.tif 000003
【図２】
2006316565.tif 000004
【図３】
2006316565.tif 000005
【図４】
2006316565.tif 000006
【図５】
2006316565.tif 000007